(57)【要約】【課題】蓋部材の重量を低減して、コストも削減した燃料注入口の蓋部材の構造を提供する。【解決手段】開口部１を塞ぐ蓋部材２の構造において、蓋部材２は、開口部１を塞ぐ蓋本体１０と、蓋本体１０を開口部１に開閉可能に取付ける蓋取付部材２０を有する。蓋本体１０は、蓋本体１０を蓋取付部材２０に取付ける蓋本体取付脚部１４を有する。蓋本体取付脚部１４は、蓋本体１０の裏面から直接形成される。蓋取付部材２０は、蓋本体取付脚部１４と対向する部分に蓋本体取付脚部１４を係合する蓋取付部材係合部２３を有し、蓋本体１０の蓋本体取付脚部１４が蓋取付部材２０の蓋取付部材係合部２３に係合される。【選択図】図１
2018079881.tif 000002
【特許請求の範囲】
【請求項１】
開口部を塞ぐ蓋部材の構造において、
該蓋部材は、上記開口部を塞ぐ蓋本体と、該蓋本体を車体に開閉可能に取付ける蓋取付部材を有し、
上記蓋本体は、上記蓋本体を上記蓋取付部材に取付ける蓋本体取付脚部を有し、該蓋本体取付脚部は、上記蓋本体の裏面から直接形成され、
上記蓋取付部材は、上記蓋本体取付脚部と対向する部分に上記蓋本体取付脚部を係合する蓋取付部材係合部を有し、上記蓋本体の蓋本体取付脚部が上記蓋取付部材の蓋取付部材係合部に係合されることを特徴とする蓋部材の構造。
【請求項２】
上記蓋本体取付脚部は、上記蓋本体の周縁部から複数個形成され、上記蓋取付部材係合部は、上記蓋取付部材の周縁の上記蓋本体取付脚部に対向する位置に複数個形成された請求項１に記載の蓋部材の構造。
【請求項３】
上記蓋本体取付脚部は、上記蓋本体の周縁部から一体的に形成され、断面形状が階段状に形成され、上記蓋本体の裏面の周縁部から略垂直に延設される第１取付脚部縦辺部と、該第１取付脚部縦辺部から略直角に上記蓋本体と平行して中心方向に屈曲して形成される取付脚部横辺部と、該取付脚部横辺部から略垂直に上記蓋本体から離れる方向に屈曲して形成される第２取付脚部縦辺部を有し、上記取付脚部横辺部が上記蓋取付部材係合部に係合される請求項１又は請求項２に記載の蓋部材の構造。
【請求項４】
上記蓋取付部材係合部は、上記取付脚部横辺部がスライド可能な蓋取付部材係合隙間部を有し、該蓋取付部材係合隙間部の両側に上記取付脚部横辺部の両側部に係合する蓋取付部材係合片を設けた請求項３記載の蓋部材の構造。
【請求項５】
上記蓋取付部材係合片は、上記蓋取付部材係合片の摺動面に、上記取付脚部横辺部が上記蓋取付部材係合隙間部を摺動するときに、上記取付脚部横辺部の両側部に係合する蓋取付部材係合突部を形成するとともに、上記蓋取付部材係合片が撓み可能に蓋取付部材係合凹部を上記蓋取付部材係合片の裏面側に形成した請求項４に記載の蓋部材の構造。
【請求項６】
上記蓋取付部材係合部は、上記第２取付脚部縦辺部が挿入される蓋取付部材位置決め孔部が形成された請求項３乃至請求項５のいずれか一項に記載の蓋部材の構造。
【請求項７】
上記蓋取付部材は合成樹脂で形成され、上記蓋本体取付脚部は板金で形成された請求項１乃至請求項６のいずれか一項に記載の蓋部材の構造。
【発明の詳細な説明】
【技術分野】
【０００１】
本発明は、燃料注入口の給油口蓋等の蓋部材の構造に関するものである。
【背景技術】
【０００２】
燃料注入口の給油口蓋において、図６に示すように、例えば、自動車用燃料タンクに燃料を給油する場合に、開口部である車体に設けられた給油口１０１の蓋部材である給油口蓋１１０を開いて、給油口１０１から燃料を給油する。
このとき、給油口蓋１１０は、裏面に蓋インナ部材１１１が取付けられて、蓋インナ部材１１１に取付けられたアーム部材１２０が給油口蓋１１０を回動自在に取付けることにより車体に取付けられている（例えば、特許文献１参照。）。
【０００３】
このアーム部材１２０による給油口蓋１１０の取付けは、アーム部材１２０のアーム部材保持腕１２１の先端に、給油口１０１の側面に取付けられた蓋取付軸１１４を中心に回動自在に取付ける。これにより、給油口蓋１１０を開けるときには、給油口蓋１１０と蓋インナ部材１１１は、蓋取付軸１１４を中心に回動して、給油口１０１から給油することができる。給油口蓋１１０は、蓋インナ部材１１１に形成された係合脚部１１２の係合孔１１３が、給油口１０１の突起部（図示せず）に係止されることにより、給油口１０１に閉じられる。
【０００４】
この蓋取付軸１１４は、取付部材１１５に保持されて、取付部材１１５は、給油口１０１の側面にリベットにより固定されている。そして、蓋取付軸１１４は、取付部材１１５にかしめ又は圧入により取付けられている。このため、給油口蓋１１０の取付作業の手間がかかっていた。
【０００５】
このため、図７と図８に示すように、給油口蓋２１０にアーム部材２２０を取付けるときに、給油口蓋２１０の裏面に、蓋インナ部材２１２を取付けて、給油口蓋２１０と蓋インナ部材２１２の間に空間を設けるとともに、蓋インナ部材２１２にアーム部材２２０を取付ける係合孔２１３を形成している。
そして、アーム部材２２０に係合孔２１３へ係合する係止爪２２３を形成し、係止爪２２３を係合孔２１３へ係合するのみで、アーム部材２２０を給油口蓋２１０に取付けている。
【０００６】
さらに、図９と図１０に示すように、このアーム部材２２０の取付腕２２２を車体の給油口２０１に取付けている。
この場合には、蓋インナ部材２１２を給油口蓋２１０に取付けるため、給油口蓋２１０側の重量が増加して、アーム部材２２０を給油口１０１に組み付けた後に、給油口蓋２１０を開いて給油するときに、給油口蓋２１０と蓋インナ部材２１２がその自重で給油口１０１を塞ぐ方向に垂れ下がり、見栄えが良くなかった。また、給油口蓋２１０の重量の増加により給油口蓋２１０と蓋インナ部材２１２の開閉時の操作性も好ましくなかった
【先行技術文献】
【特許文献】
【０００７】
【特許文献１】特開平７−１１２６８６号公報
【発明の概要】
【発明が解決しようとする課題】
【０００８】
そこで本発明は、蓋部材の重量を低減して、コストも削減した燃料注入口等の蓋部材の構造を提供しようとするものである。
【課題を解決するための手段】
【０００９】
上記課題を解決するために請求項１の本発明は、開口部を塞ぐ蓋部材の構造において、
蓋部材は、開口部を塞ぐ蓋本体と、蓋本体を開口部に開閉可能に取付ける蓋取付部材を有し、
蓋本体は、蓋本体を蓋取付部材に取付ける蓋本体取付脚部を有し、蓋本体取付脚部は、蓋本体の裏面から直接形成され、
蓋取付部材は、蓋本体取付脚部と対向する部分に蓋本体取付脚部を係合する蓋取付部材係合部を有し、蓋本体の蓋本体取付脚部が蓋取付部材の蓋取付部材係合部に係合されることを特徴とする蓋部材の構造である。
【００１０】
請求項１の本発明では、開口部を塞ぐ蓋部材の構造において、蓋部材は、開口部を塞ぐ蓋本体と、蓋本体を開口部に開閉可能に取付ける蓋取付部材を有している。このため、蓋取付部材を開口部に取付けることで、蓋本体を開口部に開閉自在に取付けることができる。
【００１１】
蓋本体は、蓋本体を蓋取付部材に取付ける蓋本体取付脚部を有し、蓋本体取付脚部は、蓋本体の裏面から直接形成されている。このため、蓋本体を蓋取付部材に取付けるために蓋インナ部材等の別部材を蓋本体に取付ける必要がなく、取付工程を少なくして、蓋本体の重量を低減して、開閉時の操作性を向上させるとともに、蓋本体の自重で蓋本体が燃料注入口に垂れ下がることがない。
【００１２】
蓋取付部材は、蓋本体取付脚部と対向する部分に蓋本体取付脚部を係合する蓋取付部材係合部を有し、蓋本体の蓋本体取付脚部が蓋取付部材の蓋取付部材係合部に係合される。このため、蓋取付部材に蓋本体を取付けるための別部材が不要であり、蓋本体の蓋本体取付脚部を蓋取付部材の蓋取付部材係合部に係合するのみで、蓋本体に蓋取付部材を取付けることができ、取付作業が容易である。
【００１３】
請求項２の本発明は、蓋本体取付脚部は、蓋本体の周縁部から複数個形成され、蓋取付部材係合部は、蓋取付部材の周縁の蓋本体取付脚部に対向する位置に複数個形成された蓋部材の構造である。
【００１４】
請求項２の本発明では、蓋本体取付脚部は、蓋本体の周縁部から複数個形成され、蓋取付部材係合部は、蓋取付部材の周縁の蓋本体取付脚部に対向する位置に複数個形成されている。蓋本体取付脚部は、蓋本体の周縁部に形成されているため、蓋本体取付脚部の形成が容易であり、蓋本体を安定的に保持することができる。蓋本体取付脚部と蓋取付部材係合部が複数個形成されているため、蓋本体を蓋取付部材に安定して取り付けることができる。
【００１５】
請求項３の本発明は、蓋本体取付脚部は、蓋本体の周縁部から一体的に形成され、断面形状が階段状に形成され、蓋本体の裏面の周縁部から略垂直に延設される第１取付脚部縦辺部と、第１取付脚部縦辺部から略直角に蓋本体と平行して中心方向に屈曲して形成される取付脚部横辺部と、取付脚部横辺部から略垂直に蓋本体から離れる方向に屈曲して形成される第２取付脚部縦辺部を有し、取付脚部横辺部が蓋取付部材係合部に係合される蓋部材の構造である。
【００１６】
請求項３の本発明では、蓋本体取付脚部は、蓋本体の周縁部から一体的に形成されているため、蓋本体を形成すると同時に、蓋本体の周縁部から延設して蓋本体取付脚部を形成することができ、製造が容易である。
【００１７】
蓋本体取付脚部の断面形状が階段状に形成され、蓋本体の裏面の周縁部から略垂直に延設される第１取付脚部縦辺部と、第１取付脚部縦辺部から略直角に蓋本体と平行して中心方向に屈曲して形成される取付脚部横辺部と、取付脚部横辺部から略垂直に蓋本体から離れる方向に屈曲して形成される第２取付脚部縦辺部を有し、取付脚部横辺部が蓋取付部材係合部に係合されている。このため、第２取付脚部縦辺部が取り付け位置を定めることができ、取付脚部横辺部と蓋本体の間に隙間があるため、取付脚部横辺部が撓んで、蓋取付部材係合部に係合されることができ、取付作業が容易であるとともに、取付後も蓋本体と蓋取付部材を密着させることができる。
【００１８】
請求項４の本発明は、蓋取付部材係合部は、取付脚部横辺部がスライド可能な蓋取付部材係合隙間部を有し、蓋取付部材係合隙間部の両側に取付脚部横辺部の両側部に係合する蓋取付部材係合片を設けた蓋部材の構造である。
【００１９】
請求項４の本発明では、蓋取付部材係合部は、取付脚部横辺部がスライド可能な蓋取付部材係合隙間部を有し、蓋取付部材係合隙間部の両側に取付脚部横辺部の両側部に係合する蓋取付部材係合片を設けている。このため、蓋本体取付脚部を蓋取付部材係合部に取付けるときに、取付脚部横辺部が蓋取付部材係合部の蓋取付部材係合隙間部をスライドして、蓋取付部材係合隙間部の両側の両側蓋取付部材係合片が撓んで、取付脚部横辺部を蓋取付部材係合部に容易に取付けることができる。
【００２０】
請求項５の本発明は、蓋取付部材係合片は、蓋取付部材係合片の摺動面に、取付脚部横辺部が蓋取付部材係合隙間部を摺動するときに、取付脚部横辺部の両側部に係合する蓋取付部材係合突部を形成するとともに、蓋取付部材係合片が撓み可能に蓋取付部材係合凹部を蓋取付部材係合片の裏面側に形成した蓋部材の構造である。
【００２１】
請求項５の本発明では、蓋取付部材係合片は、蓋取付部材係合片の摺動面に、取付脚部横辺部が蓋取付部材係合隙間部を摺動するときに、取付脚部横辺部の両側部に係合する蓋取付部材係合突部を形成している。このため、蓋取付部材係合片の摺動面を取付脚部横辺部が摺動させた後に、蓋取付部材係合突部が取付脚部横辺部の両側部を係合して、確実に取付脚部横辺部を蓋取付部材係合片が係合することができる。
【００２２】
蓋取付部材係合片が撓み可能に蓋取付部材係合凹部を蓋取付部材係合片の裏面側に形成している。このため、取付脚部横辺部を蓋取付部材係合部の蓋取付部材係合隙間部に取付けるときに、蓋取付部材係合片が蓋取付部材係合凹部の方向に容易に撓むことができ、取付脚部横辺部が蓋取付部材係合片の表面をスライドして、蓋取付部材係合部に取付けることができる。
【００２３】
請求項６の本発明は、蓋取付部材係合部は、第２取付脚部縦辺部が挿入される蓋取付部材位置決め孔部が形成された請蓋部材の構造である。
【００２４】
請求項６の本発明では、蓋取付部材係合部は、第２取付脚部縦辺部が挿入される蓋取付部材位置決め孔部が形成されている。このため、蓋本体取付脚部を蓋取付部材係合部に取付けるときに、第２取付脚部縦辺部を蓋取付部材位置決め孔部に挿入することにより、蓋本体取付脚部が蓋取付部材係合部に正しく位置して、確実に蓋本体取付脚部を蓋取付部材係合部に取付けることができる。また、取付後も、蓋本体取付脚部が蓋取付部材係合部に安定して、保持される。
【００２５】
請求項７の本発明は、蓋取付部材は合成樹脂で形成され、蓋本体取付脚部は板金で形成された蓋部材の構造である。
【００２６】
請求項７の本発明では、蓋取付部材は合成樹脂で形成されているため、成形が容易であり、蓋取付部材係合部の形成も容易である。蓋取付部材の耐燃料油性を確保して、重量を軽くすることができ、車両の軽量化に貢献することができる。
蓋本体取付脚部は板金で形成されているため、バネ特性と剛性が大きく、蓋本体を確実に取付けることができる。
【発明の効果】
【００２７】
蓋本体は、蓋本体を蓋取付部材に取付ける蓋本体取付脚部を有し、蓋本体取付脚部は、蓋本体の裏面から直接形成されているため、蓋本体の重量を低減して、開閉時の操作性を向上させるとともに、蓋本体の自重で蓋本体が燃料注入口に垂れ下がることがない。
蓋本体の蓋本体取付脚部が蓋取付部材の蓋取付部材係合部に係合されるため、蓋本体取付脚部を蓋取付部材係合部に係合するのみで、蓋本体に蓋取付部材を取付けることができ、取付作業が容易である。
【図面の簡単な説明】
【００２８】
【図１】本発明の実施の形態を示すもので、蓋本体に蓋取付部材を組み付ける状態を示す、分解斜視図である。
【図２】本発明の実施の形態を示すもので、蓋本体の蓋本体取付脚部を蓋取付部材の蓋取付部材係合部に取付けた状態の断面図であり、図１のＡ−Ａ線に沿った断面図である。
【図３】本発明の実施の形態を示すもので、蓋本体の蓋本体取付脚部を蓋取付部材の蓋取付部材係合部に取付けた状態の断面図であり、図１のＢ−Ｂ線に沿った断面図である。
【図４】本発明の実施の形態を示すもので、蓋取付部材の平面図である。
【図５】本発明の実施の形態を示すもので、蓋取付部材の裏面面図である。
【図６】従来の給油口蓋を開いた状態における、蓋取付部材に蓋本体と蓋インナ部材を取付けた状態を示す斜視図である。
【図７】従来の他の蓋本体に蓋取付部材を組み付ける状態を示す、分解斜視図である。
【図８】従来の他の蓋本体に蓋取付部材を組み付ける状態を示す、断面図であり、図９のＣ−Ｃ線に沿った断面図である。
【図９】従来の他の蓋本体に蓋部材取付部材を取付けた状態で、給油口に取付けて、蓋本体を開いた状態の斜め上から見た斜視図である。
【図１０】従来の他の蓋本体に蓋部材取付部材を取付けた状態で、給油口に取付けて、蓋本体を開いた状態の断面図であり、図９のＤ−Ｄ線に沿った断面図である。
【発明を実施するための形態】
【００２９】
本発明は、開口部を塞ぐ蓋部材の取付構造に関するものであり、開口部を自動車の車体の給油口１を例にとり説明し、蓋部材を、給油口１を塞ぐ給油口蓋２を例にとり説明する。本発明は、給油口１と給油口蓋２以外にも、他の開口部と、開口部を塞ぐ蓋部材の開閉構造にも使用することができる。
【００３０】
本発明に実施の形態を図１〜図７に基づき説明する。
本発明の実施の形態である給油口蓋２について、給油口蓋２を構成する蓋本体１０と蓋取付部材２０をそれぞれ説明し、蓋本体１０と蓋取付部材２０の組付けについても、併せて説明する。
【００３１】
給油口蓋２の蓋本体１０は、図１〜図７に示すように、車体の給油口１を塞ぐために給油口１の形状に合わせて形成されている。本発明の実施の形態では、円形に形成されているが、給油口１の形状に合わせて楕円形や四角形に形成することや、表面が車体の形状に合わせて湾曲して形成することができる。蓋本体１０の上面１１は、車体の色と合わせて塗装されて、平滑な平面を形成している。
自動車用燃料タンクに燃料を給油する場合に、車体に設けられた給油口１を塞ぐ給油口蓋２を開いて、給油口１から燃料を給油する。
【００３２】
図１〜図３に示すように、蓋本体１０の裏面１２には、後述する蓋取付部材２０に対向するように、蓋本体１０から直接に、蓋取付部材２０の方向（図１における上方）に板状に延びる２本の蓋本体取付脚部１４が形成されている。本実施の形態では、蓋本体取付脚部１４は２本形成したが、３本以上複数本形成することができる。
【００３３】
蓋本体取付脚部１４は、蓋本体１０の裏面１２から直接形成されている。蓋本体１０を蓋取付部材２０に取付けるために、蓋本体１０の裏面１２に形成されており、蓋本体１０を蓋取付部材２０に取付けるための蓋インナ部材等の別部材を、蓋本体１０に取付ける必要がない。このため、蓋本体１０の重量を低減して、給油口蓋２の開閉時の操作性を向上させるとともに、蓋本体１０の自重で蓋本体１０が給油口１に垂れ下がることがない。
【００３４】
蓋本体取付脚部１４は、蓋本体１０の周縁部１３から、中心に対して１８０度反対側に位置するように、２本形成されている。蓋本体取付脚部１４が蓋本体１０の周縁部１３から連続して形成されているため、蓋本体１０の周縁部１３から一体的に延設した部分を、折り曲げて形成することができ、蓋本体取付脚部１４の形成が容易である。
【００３５】
蓋本体取付脚部１４が中心に対して１８０度反対側に位置するように２本形成されているため、蓋本体１０を蓋取付部材２０に安定して取り付けることができる。蓋本体取付脚部１４を３本以上形成する場合には、蓋本体１０の周縁部１３に等間隔に形成することが蓋本体１０を蓋取付部材２０に安定して取付けることができ、好ましい。
【００３６】
蓋本体取付脚部１４は、図２と図３に示すように、板状で屈曲して形成されている。
蓋本体取付脚部１４は板金で形成することが好ましい。この場合には、バネ特性と剛性が大きく、蓋本体１０を確実に取付けることができる。また、蓋本体取付脚部１４を蓋本体１０の周縁部１３から延設させて、蓋本体１０の加工と同時に、プレス加工等で屈曲させて形成することが容易である。
【００３７】
蓋本体取付脚部１４の断面形状は階段状に形成されており、蓋本体１０の周縁部１３から略垂直に蓋取付部材２０の方向（図３における上方）延設される第１取付脚部縦辺部１５と、第１取付脚部縦辺部１５から略直角に蓋本体１０と平行に中心方向（図３における右方向）に屈曲して形成される取付脚部横辺部１６と、取付脚部横辺部１６から略垂直に蓋本体１０から離れる方向（図３における上方）に屈曲して形成される第２取付脚部縦辺部１７を有している。
本実施の形態では、蓋本体取付脚部１４の幅は、５〜１０ｍｍ程度であり、第１取付脚部縦辺部１５の高さは、７〜１５ｍｍ程度である。
【００３８】
取付脚部横辺部１６は、図２に示すように、後述する蓋取付部材２０の蓋取付部材係合部２３に係合される。取付脚部横辺部１６は、第１取付脚部縦辺部１５が上記の高さを有するため、蓋本体１０との間に隙間があり、蓋取付部材係合部２３に係合されるときに、取付脚部横辺部１６は、蓋本体１０の方向に撓むことができる。また、取付脚部横辺部１６が蓋取付部材係合部２３に係合された後は、バネ作用により、蓋本体１０を蓋取付部材本体部２１に密着させることができる。
【００３９】
第２取付脚部縦辺部１７は、蓋本体取付脚部１４を蓋取付部材係合部２３に取付けるときに、後述する蓋取付部材位置決め孔部２４に挿入されて、蓋本体取付脚部１４を蓋取付部材係合部２３に対して位置決めすることができ、挿入作業が容易であり、挿入後も、蓋本体取付脚部１４を安定させることができる。
【００４０】
次に、蓋取付部材２０について説明する。
蓋取付部材２０は、図１に示すように、蓋本体１０を取付ける蓋取付部材本体部２１と、蓋取付部材２０を給油口１に取付ける蓋取付部材取付腕部２２を有している。
蓋取付部材取付腕部２２は、給油口１に取付けられて、開閉自在に回動するように、湾曲して形成されている。蓋取付部材取付腕部２２の給油口１への取付方法は、図１０に示す従来のものと同様である。
【００４１】
蓋取付部材２０は、合成樹脂で形成することが好ましい。この場合には、金型による成形が容易であり、後述する蓋取付部材係合部２３や蓋取付部材位置決め孔部２４の形成も容易である。また、耐燃料油性を確保して、重量を軽くすることができ、車両の軽量化に貢献することができる。
【００４２】
図４と図５に示すように、蓋取付部材本体部２１は、蓋本体取付脚部１４と対向する部分に蓋本体取付脚部１４を係合する蓋取付部材係合部２３が形成されている。蓋取付部材係合部２３は、蓋取付部材本体部２１の外周付近に形成され、本実施の形態では、中心に対して１８０度反対側に位置するように、２個形成されている。蓋本体取付脚部１４が３本以上形成される場合には、蓋取付部材係合部２３も蓋本体取付脚部１４の数に合わせて形成される。
蓋取付部材係合部２３に蓋本体取付脚部１４を挿入するだけで、蓋本体１０を蓋取付部材２０に容易に取付けることができる。
【００４３】
図２に示すように、蓋取付部材係合部２３は、本実施の形態では、蓋本体取付脚部１４を蓋取付部材係合部２３に取付けるときに、取付脚部横辺部１６がスライド可能な蓋取付部材係合隙間部２３ｄを有し、蓋取付部材係合隙間部２３ｄの両側に取付脚部横辺部１６の両側部に係合する蓋取付部材係合片２３ａが対向するように設けている。
【００４４】
蓋取付部材係合片２３ａは、断面形状が三角形に形成されて、取付脚部横辺部１６が摺動する蓋取付部材係合片２３ａの摺動面に対向するように、取付脚部横辺部１６の両側部に係合する蓋取付部材係合突部２３ｂを形成している。蓋本体１０を蓋取付部材２０に組み付けるときに、取付脚部横辺部１６が蓋取付部材係合隙間部２３ｄを摺動するときに、取付脚部横辺部１６の両側部が、蓋取付部材係合突部２３ｂを越えて、蓋取付部材係合片２３ａの根元方向（図２における上方向）に移動して、係合される。
【００４５】
蓋取付部材係合片２３ａが撓み可能に、蓋取付部材係合凹部２３ｃを、蓋取付部材係合片２３ａの裏面側である蓋取付部材係合突部２３ｂが形成されたのと反対側に形成している。蓋取付部材係合凹部２３ｃが形成されているため、取付脚部横辺部１６を蓋取付部材係合部２３の蓋取付部材係合隙間部２３ｄに取付けるときに、蓋取付部材係合片２３ａが蓋取付部材係合凹部２３ｃの方向に容易に撓むことができ、取付脚部横辺部１６を蓋取付部材係合部２３に容易に取付けることができる。
【００４６】
本実施の形態では、図３に示すように、蓋取付部材係合部２３に、蓋取付部材係合隙間部２３ｄの横の位置に、第２取付脚部縦辺部１７が挿入される蓋取付部材位置決め孔部２４が形成されている。蓋取付部材位置決め孔部２４は、蓋取付部材本体部２１の周辺部から蓋取付部材係合部２３が延設された方向と同じ方向に、略垂直に延設された蓋取付部材位置決め縦片部２４ｂと蓋取付部材位置決め縦片部２４ｂの先端に形成された略四角形の孔を有する蓋取付部材位置決め挿入孔２４ａから形成されている。
【００４７】
蓋本体取付脚部１４を蓋取付部材係合部２３に取付けるときに、第２取付脚部縦辺部１７を蓋取付部材位置決め孔部２４の蓋取付部材位置決め挿入孔２４ａに挿入することにより、蓋本体取付脚部１４が蓋取付部材係合部２３に正しく位置して、確実に蓋本体取付脚部１４を蓋取付部材係合部２３に取付けることができる。また、取付けた後も、蓋本体取付脚部１４を蓋取付部材係合部２３に安定して保持することができる。
【符号の説明】
【００４８】
１  給油口（開口部）
１０  給油口蓋（蓋本体）
１４  蓋本体取付脚部
１５  第１取付脚部縦辺部
１６  取付脚部横辺部
１７  第２取付脚部縦辺部
２０  蓋部材取付部材
２１  蓋取付部材本体部
２３  蓋取付部材係合部
２３ａ  蓋取付部材係合片
２４  蓋取付部材位置決め孔部
２４ａ  蓋取付部材位置決め挿入孔
【図１】
2018079881.tif 000003
【図２】
2018079881.tif 000004
【図３】
2018079881.tif 000005
【図４】
2018079881.tif 000006
【図５】
2018079881.tif 000007
【図６】
2018079881.tif 000008
【図７】
2018079881.tif 000009
【図８】
2018079881.tif 000010
【図９】
2018079881.tif 000011
【図１０】
2018079881.tif 000012